(57)【要約】【課題】  バックパネルの両側にカップを縫い付けし、カップ上部とバックパネル上部両側を連結するストラップを有して、着用時には上記両カップ先端に取着しているフック−アイを介して連結するブラジャーであって、着用することで姿勢が良くし、ひいてはバストの形状を整えると共に大きくすることが出来るブラジャーの提供。【解決手段】  バックパネル２の内側には伸縮性に優れた生地で構成されるパワーネット８ａ，８ｂをＸ状にクロスして配置し、そしてパワーネット８ａ，８ｂの両端のみをバックパネル２に縫い付けると共に、その他の部分はフリーな状態とし、さらにパワーネット８ａ，８ｂの長さをバックパネル２の縫い付け箇所間距離より僅かに短くしている。【選択図】    図２
2006161199.tif 000002
【特許請求の範囲】
【請求項１】
バックパネルの両側にカップを縫い付けし、カップ上部とバックパネル上部両側を連結するストラップを有して、着用時には上記両カップ先端に取着している連結金具を介して連結するブラジャーにおいて、上記バックパネルの内側には伸縮性に優れた生地で構成されるパワーネットをＸ状にクロスして配置し、そしてパワーネットの両端のみをバックパネルに縫い付けると共に、その他の部分はフリーな状態とし、さらにパワーネットの長さをバックパネルの縫い付け箇所間距離より僅かに短くしたことを特徴とするブラジャー。
【請求項２】
上記Ｘ状にクロスしたバックパネルの重なり合う部分を互いに縫い合わせた請求項１記載のブラジャー。
【請求項３】
バックパネルの両側にカップを縫い付けし、カップ上部とバックパネル上部両側を連結するストラップを有して、着用時には上記両カップ先端に取着している連結金具を介して連結するブラジャーにおいて、上記バックパネルの内側には伸縮性に優れた生地で構成される概略三角形のパワーネットを対を成して配置し、両パワーネットはその底片部をバックパネル両端部に縫い付けると共に頂点側を互いに重ねて縫い合わせ、その他の部分はフリーな状態とし、さらにパワーネットの長さをバックパネルの縫い付け箇所間距離より僅かに短くしたことを特徴とするブラジャー。                                                                        
【発明の詳細な説明】
【技術分野】
【０００１】
本発明は女性用下着であって、バストの垂れを防止すると共に自然な丸みを保つ為に、背筋を伸ばして猫背を防止することが出来るブラジャーに関するものである。
【背景技術】
【０００２】
ブラジャーはバストを拘束することによって、身体を動かしても揺れないようにするのみならず、バストの形を整えたり、バストの小さな人であればより大きく魅せることが出来る機能を備えている。従来、バストを大きく魅せる為にパットを用いており、ブラジャーのカップ内側に設けた袋状のパット受けに該パットを収容している。必要に応じて１枚ないし３枚程度重ね合わせて用いるのが常である。
【０００３】
従って、バストの小さな人であっても上記パットを重ねて用いることで大きく魅せることは可能である。しかし、このような方法はあくまでもバストを外観的に大きく魅せるだけであり、バスト自体の大きさ及び形が整えられる訳ではない。最近では、高いヒールの靴を履く女性が多く、その為に歩く際には前のめりになって猫背を助長する。その結果、バストの形は崩れてしまう。
【０００４】
又、一方、従来のパットはブラジャーのパット受けに挿入することで、自然な丸みを得ることができないまでもバストを大きく魅せることは可能であるが、バストの垂れを防止する効果はなく、少なくともバストの形を整えたり、形を保つ機能を目的としていない。バストが多少小さくても、姿勢がよければ大きく見えるし、又その形も良好になる。
【０００５】
特開２００１−１１５３０４号に係る「矯正ブラジャー」は、背面部の素材を伸縮せず、通気性、吸汗性の良い綿素材などを中心に用い、前面部、カップ部分には綿及びナイロン、ポリウレタンなどの伸縮性に富む素材を用い、サイドにボーンを設け背面部を一部補強することで、より前面に寄せる効果を高め、背面部には伸縮性がなく、背面、脇から寄せられた贅肉は、カップ部分に伸縮余裕があるために、カップ部分に集まる結果と成る。
【０００６】
特開平９−１５７９１３号に係る「胸部整形パッド」は、形態を整えて乳房を理想的な美しい外形に保持する胸部整形バッドであり、スポンジ状通気性成形素材により左カップと右カップを幅広の連結部を介して連続した一体成形体にパッド本体を成形し、パッド本体の外面側と内面側に表布と裏布を配置し、周囲に縁テープを縫着し、パッド本体の両カップは、外側底部の内側が徐々に肉厚に成るようにした矯正肉厚構造を構成し、外側から見た想像外形円に対して内側から見た想像外形円が装着状態で上向き内方に変位した肉厚偏向の略椀型を構成している。そして、パット本体の連結部は、他の部分より低発泡硬質に成形されている。
【０００７】
このように、ブラジャーに関してはこれらの他に数多くの出願が成されている。しかし、あくまでもカップ自体に特徴を持たせてバストを大きく、しかも美しく見せるように構成したものである。
【特許文献１】特開２００１−１１５３０４号に係る「矯正ブラジャー」
【特許文献２】特開平９−１５７９１３号に係る「胸部整形パッド」
【発明の開示】
【発明が解決しようとする課題】
【０００８】
このように、姿勢の崩れはバストの大きさ及びその形にも悪影響がある。本発明が解決しようとする課題はこの問題点であり、着用することで姿勢を良くすると共にバストを大きく見せることが出来、さらにはバストの形を整えることが出来るブラジャーを提供する。
【課題を解決するための手段】
【０００９】
本発明に係るブラジャーは対をなす２個のカップを有し、背中側にはバックパネルを設け、カップとバックパネルはストラップにて連結されている。ここで、両カップ間には連結金具を備えていて、該連結金具(フックーアイ)を介して両カップは連結される。従って、ブラジャーを外す際には両カップの連結金具を解除して行われる。
【００１０】
バストはあくまでも女性の身体の一部であり、バストの形を保ち、その形を整える為には姿勢を正しく保つことが重要である。そこで、本発明はブラジャーを着用することで猫背を防止して姿勢を正すことが出来るようにし、その為に比較的大きなバックパネルを備えている。勿論、バックパネルは背中に位置して伸縮性のある生地から成り、背中を拘束することが出来る。
【００１１】
そして、該バックパネルの内側には２枚のパワーネットがＸ状にクロスして配置され、タスキを掛けたような状態を構成することが出来る。パワーネットは伸縮性に優れた生地であり、その両端部がバックパネルに縫い付けされてその他の部分はフリーな状態にあり、長さが僅かに短く成っている。また、両パワーネットがクロスして重なり合う部分は縫い合わされている。又、概略三角形のパワーネットをバックパネルの両端部に対を成して縫付けることもある。この場合、パワーネットの底辺部のみをバックパネル両端部に縫い付け、頂点部は互いに重ねて縫い合わすことが出来る。
【発明の効果】
【００１２】
本発明のブラジャーは伸縮性のあるバックパネルを有し、ブラジャーを着用する際には背中に該バックパネルが位置することになる。そして、バックパネルには伸縮性に優れたパワーネットがＸ状にクロスして配置されて、タスキ掛けをした状態と成る。従って、背筋が伸びて姿勢がよくなり、ひいてはバストの形を美しく保つことが出来、少なくともバストの垂れを防止する上で効果がある。
【００１３】
しかも、パワーネットの長さはバックパネルを縮めることが出来る程度に短く成っている為に、ブラジャーを着用するならば、バックパネルが引き伸ばされるのみならず、パワーネットがさらに引っ張られる為に、しかもＸ方向に引っ張られることで、背筋が伸びて姿勢が向上する。概略三角形のパワーネットを縫付ける場合も同じように、背筋が伸びて姿勢が良くなる。
【実施例】
【００１４】
図１はブラジャーを展開した状態を表わしている。同図において、１，１はカップ、２はバックパネル、３，３はストラップを示している。上記カップ１，１は概略半球状を成し、上記バックパネル２の両側に縫い付けられ、又、カップ１の上部に連結したストラップ３はバックパネル２の上部両側に連結している。ここで、カップ１の形態は特に限定しないが、下縁に沿ってワイヤー４が取付けられている。
【００１５】
そしてカップ１，１の先端にはフック５とアイ６が取着されて、両カップ１，１を正面にて連結することが出来る。該ブラジャーを着用する場合には、バックパネル２とストラップ３にて形成した肩穴７，７に腕を差込んで、両カップ１，１をバストにあてがうと共に、フック５をアイ６に係止して連結することが出来る。
【００１６】
この場合、伸縮性のある上記バックパネル２は引き伸ばされて背中に密着する為に、姿勢を良くする多少の効果を得ることが出来る。しかも、本発明では該バックパネル２の内側にＸ状にクロスしたパワーネットが配置され、このパワーネットが引き伸ばされることでその効果は一段と向上する。すなわち、Ｘ状にクロスしたパワーネットはタスキを掛けると同じような機能を発揮することが出来る。
【００１７】
図２は本発明のブラジャーの内側を表している実施例である。同図に示すように、バックパネル２の内側にはパワーネット８ａ，８ｂがＸ状にクロスして設けられ、ブラジャーを着用するならば該パワーネット８ａ，８ｂはタスキを掛けたような状態となる。ここで、パワーネット８ａ，８ｂは伸縮性に優れた生地から成り、その両端部９，９・・がバックパネル２に縫い付けられている。
【００１８】
そこで、両端部を除く他の部分はフリーな状態と成っていて、しかも長さはバックパネル２の両縫い付け間距離より短くしている。又、両パワーネット８ａ，８ｂがクロスして重なり合う斜線部分は互いに互いに縫い合わされている。そこで、このブラジャーを着用するならば、バックパネル２が伸びて背中に密着すると共に、両パワーネット８ａ，８ｂはさらに伸びて背中に張り付くことが出来る。
【００１９】
図３は本発明に係るブラジャーの内側を表している他の実施例である。バックパネル２の両端部には概略三角形のパワーネット１０ａ，１０ｂが対を成して配置されている。ここで、パワーネット１０ａ，１０ｂは伸縮性に優れた生地から成り、概略三角形のパワーネット底辺部がバックパネル２の両端部に縫い付けられている。
【００２０】
そして、底辺部を除く他の部分はフリーな状態と成っていて、三角形の頂点部１１ａ，１１ｂは互いに重なって縫い合わされている。しかも長さはバックパネル２の両縫い付け間距離より短くしている。そこで、このブラジャーを着用するならば、バックパネル２が伸びて背中に密着すると共に、両パワーネット１０ａ，１０ｂはさらに伸びて背中に張り付くことが出来る。
【図面の簡単な説明】
【００２１】
【図１】本発明に係るブラジャーを示す実施例。
【図２】本発明に係るブラジャーの内側を示す実施例。
【図３】本発明に係るブラジャーの内側を示す他の実施例。
【符号の説明】
【００２２】
１  カップ
２  バックパネル
３  ストラップ
４  ワイヤー
５  フック
６  アイ
７  肩穴
８  パワーネット
９  端部
10  パワーネット
11  頂点部
【図１】
2006161199.tif 000003
【図２】
2006161199.tif 000004
【図３】
2006161199.tif 000005